(57)【要約】      （修正有）【課題】台所や居間で火災が発生した際、防炎機能を有するカーテンをレールから瞬時に引き離して火元に覆い被せることを可能とし、素早く初期消火を行うことができるカーテン構造を提供する。【解決手段】吊下具Ａによりレールに吊り下げられ、レール内のランナー５１よりカーテン１が開閉自在に装着されるカーテン構造である。カーテン１が防炎機能を有するとともに、吊下具に、カーテン１に必要以上の荷重が生じた際、形状が弾性変形してカーテンをレールから落下させる連結具を備えている。【選択図】図１
0003164130.tif 000002
【実用新案登録請求の範囲】
【請求項１】
吊下具によりレールに吊り下げられ、レール内のランナーより開閉自在にカーテンが装着されるカーテン構造において、
前記カーテンが防炎機能を有するとともに、前記吊下具に、前記カーテンに必要以上の荷重が生じた際、形状が弾性変形してカーテンをレールから落下させる連結具を備えたことを特徴とするカーテン構造。
【請求項２】
前記カーテンの基布が難燃性あるいは不燃性繊維にて形成されている請求項１記載のカーテン構造。
【請求項３】
前記カーテンの基布が難燃剤もしくは防炎剤を含有する請求項１記載のカーテン構造。
【請求項４】
前記カーテンの基布に難燃性あるいは不燃性繊維よりなる消火布が貼着されている請求項１記載のカーテン構造。
【請求項５】
前記連結具が、弾性変形する金属材料または樹脂材料からなる請求項１乃至４のうち何れか一項記載のカーテン構造。
【請求項６】
前記連結具が、アジャスターに装着されるフック体である請求項１または５記載のカーテン構造。
【請求項７】
前記アジャスターに、カーテンに必要以上の加重が生じた際、カーテンを落下させるラチェット部が形成されている請求項６記載のカーテン構造。
【請求項８】
前記連結具が、カーテン保持具を備えたフック体である請求項１または５記載のカーテン構造。
【請求項９】
前記連結具が、ランナーに装着されるリング体である請求項１または５記載のカーテン構造。
【請求項１０】
前記連結具が、帯状体の芯地に複数装着されている請求項１または５のうちいずれか一項記載のカーテン吊下具。
【考案の詳細な説明】
【技術分野】
【０００１】
本考案は、台所や居間で火災が発生した際、素早く火元を消火させることができるカーテン構造に関する。
【背景技術】
【０００２】
一般的なカーテンは、窓の室内側のカーテンレールに吊り下げられ、室内に直接太陽光が差し込まないように、また屋外にいる人が容易に室内を覗くことができないように、遮光性を有する素材にて形成されている。
【０００３】
しかしながら、通常のカーテンは、ポリエステル樹脂、綿、アクリル樹脂、レーヨン等の素材にて形成されているため、ストーブやレンジ等の火が引火した際、短時間で燃え広がり、火災が発生するという問題があった。
【０００４】
このような問題を解消するため、特許文献１において、優れた不燃性を有し、初期火災の拡大を未然に防止するとともに、安価で、適度の伸縮性を有し、しかもほつれや目ずれのないレースカーテンが報告されている。かかる不燃性レースカーテンでは、単繊維直径が７μｍ以下のガラス長繊維糸を用いて経編組織で編成され、経糸間には経糸挿入糸が挿入されている。また、経糸挿入糸は、経糸全体量の重量比率の１０％以上５０％以下である。
【先行技術文献】
【特許文献】
【０００５】
【特許文献１】特開平９−２８５５６号公報（特許請求の範囲等）
【考案の概要】
【考案が解決しようとする課題】
【０００６】
上掲特許文献１に記載された不燃性レースカーテンは、優れた不燃性を有することが報告されているが、一方で、かかるカーテンはある程度の強度を有する状態でレールに吊り下げられるものであるため、初期火災が発生した際、カーテン自体を直ちに取り外して消火用具として使用することはできなかった。
【０００７】
そこで本考案の目的は、上記問題点を解消し、台所や居間で火災が発生した際、防炎機能を有するカーテンをレールから瞬時に引き離して火元に覆い被せることを可能とし、素早く初期消火を行うことができるカーテン構造を提供することにある。
【課題を解決するための手段】
【０００８】
上記課題を解決するために、本考案のカーテン構造は  吊下具によりレールに吊り下げられ、レール内のランナーより開閉自在にカーテンが装着されるカーテン構造において、
前記カーテンが防炎機能を有するとともに、前記吊下具に、前記カーテンに必要以上の荷重が生じた際、形状が弾性変形してカーテンをレールから落下させる連結具を備えたことを特徴とするものである。
以下に本考案の好適実施形態を列挙する。
【０００９】
前記カーテンの基布が難燃性あるいは不燃性繊維にて形成されている。
【００１０】
前記カーテンの基布が難燃剤もしくは防炎剤を含有する。
【００１１】
前記カーテンの基布に難燃性あるいは不燃性繊維よりなる消火布が貼着されている。
【００１２】
前記連結具が、弾性変形する金属材料または樹脂材料からなる。
【００１３】
前記連結具が、アジャスターに装着されるフック体である。
【００１４】
前記アジャスターには、カーテンに必要以上の荷重が生じた際、カーテンを落下させるラチェット部が形成されている。
【００１５】
前記連結具が、カーテン保持具を備えたフック体である。
【００１６】
前記連結具が、ランナーに装着されるリング体である。
【００１７】
前記連結具が、帯状体の芯地に複数装着されている。
【考案の効果】
【００１８】
本考案のカーテン構造によれば、台所や居間で火災が発生した際、カーテンをレールから瞬時に引き離して火元に覆い被せることができるため、素早く初期消火を行うことができる。
【図面の簡単な説明】
【００１９】
【図１】本考案のカーテン構造を示す一部拡大箇所を有する正面図である。
【図２】（ａ）〜（ｄ）は、各種カーテンの拡大断面図を示す。
【図３】アジャスターに装着されるフック体を示す説明図である。
【図４】図３に示すカーテン構造からカーテンを引き離す状態を示す説明図である。
【図５】アジャスターのラチェット部を示す説明図である。
【図６】従来のアジャスターのラチェット部を示す正面図である。
【図７】カーテン保持具を備えたフック体を示す部分斜視図である。
【図８】ランナーに装着されるリング体を示す説明図である。
【図９】帯状体の芯地に装着されている吊下具を示す部分斜視図である。
【図１０】本考案のカーテン構造の使用状態を示す説明図である。
【考案を実施するための形態】
【００２０】
以下、本考案におけるカーテン構造の実施の形態を図面に基づいて説明する。
本考案の一実施の形態に係るカーテン構造におけるカーテン１は、図１に示すように、吊下具Ａによりカーテンレール５０に吊り下げられ、レール内のランナー５１より開閉自在に装着されている。
【００２１】
特に、本考案のカーテン構造のカーテン１は、防炎機能を有することが肝要である。防炎機能を有するカーテン１は、ストーブやレンジ等の火がカーテンに引火しても燃え広がることがなく、さらに、図１０に示すように、火が台所の調理器具に引火した際、カーテン自体を瞬時に取り外してその上に覆い被せることにより、初期消火を行うことができる。
【００２２】
前記防炎機能を付与するには、図２の（ａ）に示すように、カーテン１の基布２を難燃性あるいは不燃性繊維３を用いて形成される方法が挙げられる。難燃性繊維の一例として、それ自体既知のものを用いることができ、例えば、難燃ビニロン、難燃ナイロン、難燃レーヨン、アラミド繊維等を、また不燃性繊維としては不燃性ガラス繊維、セラミック繊維を挙げることができる。これらの繊維を用いて織布、または不織布に織成され、カーテン１の基布２が形成される。
【００２３】
防炎機能を付与する他の方法は、図２の（ｂ）に示すように、カーテン１の基布２に難燃剤もしくは防炎剤４を添加する方法が挙げられる。基布２に付与する難燃剤もしくは防炎剤としては、ハロゲン系、リン系、臭素系、三酸化アルミニウム、水酸化アルミニウム、水酸化マグネシウム、硼酸亜鉛等の難燃剤や防炎剤が挙げられる。なお、これらは、カーテン１の基布２を製造する前加工で、もしくは加工中、さらには加工後に練込むか、または塗布すればよい。
【００２４】
防炎機能を付与する更に他の方法は、図２の（ｃ）に示すように、カーテン１の基布２に難燃性あるいは不燃性繊維よりなる消火布５を貼着する方法が挙げられる。消火布５は難燃性あるいは不燃性繊維を用いて形成されるものや、前記難燃剤もしくは防炎剤を含有する織布、不織布等が使用される。また前記消火布５は、図２の（ｄ）に示すように、基布２にて挟持して形成することもできる。
【００２５】
なお、本発明のカーテン構造において、難燃性繊維、不燃性繊維、難燃剤、防炎剤等、防炎機能を付与する材質は特に限定されるものではなく、ストーブやガスレンジ等の火がカーテンに引火しても燃え広がることがなく、さらに、火が調理器具や家具等に引火した際、カーテン自体を取り外して火元に覆い被せることで、初期消火ができるものであれば特に限定されるものではない。
【００２６】
また、本考案のカーテン構造は、カーテンの吊下具に、カーテンに必要以上の荷重が生じた際、形状が弾性変形してカーテンをレールから瞬時に落下させることのできる連結具を備えることが肝要である。
【００２７】
一好適例の吊下具の連結具は、図３の（ａ）、（ｂ）に示す、カーテンの吊り下げる高さを調整するアジャスター２０に装着されるフック体１０である。かかるフック体１０は、図示するように、カーテンレールのリングに吊り下げられるヘアピン状に湾曲したフック部１１と、アジャスター２０のラチェット２１に装着されるラチェット部１２とで構成されている。このフック部１１は、カーテンに必要以上の荷重が加わった際に弾性変形する素材にて形成されている。好ましい素材としては、スチール等の金属材料、またはポリオレフィン、ポリエステル、ポリアミド等の樹脂またはエラストマーが挙げられる。
【００２８】
また、フック体１０は、図３の（ｂ）に示すように、フック体１０とアジャスター２０を装着し、あるいは取り外して分離させることができる。そのため、洗濯する際、またカーテンを再度装着する際の利便性が向上する。
【００２９】
図４の（ａ）、（ｂ）、（ｃ）は、アジャスター２０にフック体１０を装着した連結具の使用状態を示す。
（ａ）は、カーテンレール５０のランナー５１のリング５２にフック体１０を挿入し、アジャスター２０を介在させたカーテン１をカーテンレール５０に吊り下げた状態を示す。
【００３０】
（ｂ）は、カーテン１に必要以上の荷重を与えた状態を示すものである。カーテン１に必要以上の荷重、例えば１０ｋｇ程度の荷重を与えると、弾性変形する素材で形成されたフック体１０は緩やかに変形する。
【００３１】
カーテン１にさらに荷重を与えると、フック体１０はさらに変形し、（ｃ）に示すように、フック体１０はリング５２から分離されてカーテン１が落下する。そのため、台所や居間で火災が発生した際、防炎機能を有するカーテン１に瞬時に所定の荷重をかけるとカーテン１は直ちにレールから引き離され、火元に覆い被せることができる。これにより素早く初期消火を行うことができる。さらに、誤ってカーテン１に首を引っ掛けた場合でもカーテン１が落下するため、首を圧迫して窒息死するという不慮の事故を未然に防ぐことができる。なお、フック体１０は弾性変形する素材で形成されているので、瞬時にもとの形状に戻り、再度カーテン１を吊るすことが可能になる。
【００３２】
他の好適例の吊下具の連結具は、カーテンの高さを調節するアジャスターである。図５の（ａ）に示すアジャスター３０ａは、下方向に荷重が生じた際、アジャスター３０ａおよびカーテン１を落下させるラチェット部３１ａが形成されている。
【００３３】
図６に示すように、従来のアジャスター３０ｂのラチェット部３１ｂは、上方が内側方向に傾斜された状態に形成されているため、カーテンは、容易に落下しない状態でカーテンライナーのリングに吊り下げられている。
【００３４】
これに対し、本考案におけるアジャスター３０ａのラチェット部３１ａは、下方が内側方向に傾斜された状態に形成されている。そのため、ラチェット部３１ａにフック体１０のラチェット部１２を係合させると、図５の（ａ）（ｂ）に示すように、カーテンの下方向に荷重が生じた際、アジャスター３０ａはフック体１０から滑り落ち、ある一定の荷重でカーテンを落下させることができる。なお図５の（ａ）はアジャスター３０ａの正面図、（ｂ）はアジャスター３０ａの側面図を示す。
【００３５】
更に他の好適例の吊下具の連結具１０ｃは、図７に示すように、カーテン保持具３４を備えたフック体３０である。かかるフック体３０は、前述と同様の弾性変形する材料にて形成されている。フック体３０は、長円形状のフック部３１と、フック部３１の略中央に形成された開口部３２と、フック部３１に連設された軸部３３とからなる。また、軸部３３の下部には、カーテン１の上端を保持固定するカーテン保持具３４が設置されている。
【００３６】
カーテン保持具３４は、板状部３５と、板状部３５に立設された鈎状部３６と、板状部３５に折曲自在に連結された把持部３７とからなる。板状部３５と把持部３７との間にカーテン１の上端を配置させ、鈎状部３６にてカーテン１を突き刺した状態で把持部３７の開孔に鈎状部３６を嵌入させることで、カーテン保持具３４にてカーテン１の上端を把持固定することができる。
【００３７】
更に他の好適例の吊下具の連結具１０ｄは、図８の（ａ）に示すように、ランナー５１に装着されるリング体４０である。リング体４０は弾性変形する前述と同様の材料にて形成されている。また、リング体４０には、カーテンレールのリングに挿入される開口部４１が形成されている。リング体４０を弾性変形する素材で形成することで、（ｂ）に示すように開口部４２が柔軟に開閉されるため、カーテン１に必要以上の荷重が発生した場合、カーテン１を容易にカーテンレールから落下させることができる。なお、リング体４０においては、バネ式の金属製のリングであってもよい。
【００３８】
更に他の好適例の吊下具の連結具１０ｅは、図９に示すように、カーテン１の上部に直接芯として縫いつけられている連結部材であり、帯状体の芯地６０に複数装着されている。連結具１０ｅはフック形状を呈しており、弾性変形する前述と同様の材料にて形成されている。また、連結具１０ｅは、帯状体の芯地６０に直接等間隔に複数装着されている。そのため、カーテン１の上端に芯地６０として直接縫い付けられていることにより、ワンタッチで複数の連結具１０ｅをカーテンレールに装着させることが可能になる。
【００３９】
上述の如く、カーテンが防炎機能を有するとともに、吊下具に、カーテンに必要以上の荷重が生じた際、形状が弾性変形してカーテンをレールから瞬時に落下させることのできる連結具を備えたことにより、台所や居間で火災が発生した際、カーテンをレールから引き離して火元に覆い被せることで、素早く初期消火を行うことができる。
【符号の説明】
【００４０】
１  カーテン
２  基布
３  難燃性あるいは不燃性繊維
４  難燃剤もしくは防炎剤
５  消火布
１０ａ  連結具
１０ｂ  連結具
１０ｃ  連結具
１０ｄ  連結具
１０ｅ  連結具
１０  フック体
１１  フック部
１２  ラチェット部
２０  アジャスター
２１  ラチェット
３０  フック体
３０ａ  アジャスター
３１  フック部
３１ａ  ラチェット部
３２  開口部
３３  軸部
３４  カーテン保持具
３５  板状部
３６  鈎状部
３７  把持部
４０  リング体
４１  開口部
５０  カーテンレール
５１  ランナー
５２  リング
６０  芯地
Ａ  吊下具
【図１】
0003164130.tif 000003
【図２】
0003164130.tif 000004
【図３】
0003164130.tif 000005
【図４】
0003164130.tif 000006
【図５】
0003164130.tif 000007
【図６】
0003164130.tif 000008
【図７】
0003164130.tif 000009
【図８】
0003164130.tif 000010
【図９】
0003164130.tif 000011
【図１０】
0003164130.tif 000012